(57)【特許請求の範囲】
【請求項１】
外部に貫通しない光ファイバ穴とこの光ファイバ穴の先端が開口する接着剤充填凹所とを有する構造の透明樹脂製のフェルールの光ファイバ穴に光ファイバを挿入する際に用いる光ファイバ挿入補助治具であって、
前記フェルールを載せるフェルール載置部と、このフェルールの前方移動を止めるストッパ部と、光ファイバを保持して前後方向にスライド可能な光ファイバ保持スライドブロックと、前記光ファイバ保持スライドブロックの前方移動を止めるストッパ部を有して前後方向にスライド可能なスライドステージと、光ファイバ保持スライドブロックを前方に付勢するようにスライドステージに設けたバネと、前記スライドステージを前後方向にスライド可能に載せるとともに、スライドステージの前進限及び後退限を規定する前進限ストッパ部及び後退限ストッパ部とを有するベース本体と、前記スライドステージをベース本体に対して前後に移動させる移動手段と、光ファイバ保持スライドブロックを、スライドステージとともに一体に前後移動するようにスライドステージに結合させる結合手段と
を有することを特徴とする光ファイバ挿入補助治具。
【請求項２】
後退限位置にあるスライドステージとベース本体の前進限ストッパ部との間の隙間幅ｂを、フェルールの接着剤充填凹所の光ファイバ長手方向幅ａより小さくしたことを特徴とする請求項１記載の光ファイバ挿入補助治具。
【発明の詳細な説明】
【技術分野】
【０００１】
この発明は、外部に貫通しない光ファイバ穴とこの光ファイバ穴の先端が開口する接着剤充填凹所とを有する構造の透明樹脂製のフェルールの前記光ファイバ穴に光ファイバを挿入する際に用いる光ファイバ挿入補助治具に関し、特に、光ファイバを光ファイバ穴に挿入し貫通させて接着剤充填凹所内に突出させる際に接着剤充填凹所内に生じる切り屑を適切に除去することを可能にする光ファイバ挿入補助治具に関する。
【背景技術】
【０００２】
回路基板上の光素子と回路基板面に沿うように導入した光ファイバとの間を光接続する光路変換光コネクタとして、透明樹脂製のフェルールの外面に、光ファイバ穴の長手方向に対して傾斜した傾斜面を形成し、この傾斜面を光路変換のための内部反射面として利用する光コネクタがある（特許文献１）。
【０００３】
内部反射による光路変換を行う光コネクタの場合、外部に貫通しない光ファイバ穴を有するが、光ファイバの先端面位置が正確に位置決めされるように、光ファイバの先端をフェルールの内部反射面の近傍に形成された内部空間の壁面（内部反射面に対して角度を有する壁面）に突き当てるのが適切である。この場合、内部反射面の近傍に接着剤充填凹所を形成し、この接着剤充填凹所に光ファイバ穴の先端を開口させる構造が適切である。
また、透明樹脂製のフェルールを有し、その先端面を、他の光コネクタの先端面と突き合わせることにより、他の光コネクタに内蔵された光ファイバと、自身に内蔵された光ファイバとをほぼ同一直線上に配置して光接続する光コネクタがある。この光コネクタの場合も、外部に貫通しない光ファイバ穴を有し、光ファイバの先端面位置が正確に位置決めされるように、光ファイバの先端をフェルールの先端面の近傍に形成された接着剤充填凹所の前方壁面に突き当てるのが適切である。
いずれの場合も、フェルールは、外部に貫通しない光ファイバ穴とこの光ファイバ穴の先端が開口する接着剤充填凹所とを有する構造とする。
【先行技術文献】
【特許文献】
【０００４】
【特許文献１】特開２００９−２５８５１０
【発明の概要】
【発明が解決しようとする課題】
【０００５】
外部に貫通しない光ファイバ穴とこの光ファイバ穴の先端が開口する接着剤充填凹所を有する構造のフェルールの光ファイバ穴に光ファイバを挿入する場合、光ファイバの先端が光ファイバ穴を通過する際に、ガラスであり硬度の高い光ファイバの先端面のエッジが、ガラスと比べて柔らかい樹脂からなるフェルールの光ファイバ穴内面を削ってしまい、その切り屑が光ファイバの先端に付着することが多々ある。
切り屑の先端に付着したままの状態で光ファイバを接着剤充填凹所の前方壁面に突き当てると、切り屑が光ファイバの先端と接着剤充填凹所の前方壁面との間に挟まる恐れがある。その状態で接着剤を充填し硬化させた光コネクタでは、切り屑が光路の邪魔になって光接続時の光損失は大となる。また、切り屑の存在で光路長が変化し、やはり光接続時の光損失は大となる。
光ファイバ穴を通過させた光ファイバの先端に付着した切り屑はエアブローにより吹き飛ばすことができるが、その際、光ファイバが接着剤充填凹所内を前方壁面まであるいはその近傍まで突出した状態では、接着剤充填凹所の前方壁面との間に挟まったままであったり、光ファイバに遮られたりして、切り屑が残る場合がある。
一方、光ファイバを光ファイバ穴内に没入させたのでは、光ファイバを再び接着剤充填凹所内に突出させる際に、その先端のエッジ部で光ファイバ穴内面を削ってまた切り屑を発生させることになる。
したがって、切り屑を除去するためにエアブローをする際には、光ファイバの先端を、光ファイバ穴内に没入しない範囲で前方壁面から適宜離す必要がある。しかし、サイズの小さなフェルールに設ける接着剤充填凹所の光ファイバ長手方向の幅はかなり小さいので、その小さな凹所幅のなかで光ファイバの長手方向の移動を手作業でコントロールするのは必ずしも簡単ではない。特に、時間をかけるのであればあまり問題にならないとしても、製造工程では時間をかける非能率的な方法は採用できない。
【０００６】
本発明は上記事情に鑑みてなされたもので、外部に貫通しない光ファイバ穴とこの光ファイバ穴の先端が開口する接着剤充填凹所とを有する構造のフェルールの前記光ファイバ穴に光ファイバを挿入する作業において、光ファイバが光ファイバ穴を通過するときに光ファイバ穴内面を削ることで光ファイバ先端に付着した切り屑を確実にかつ能率的に除去することを可能にする光ファイバ挿入補助治具を提供することを目的とする。
【課題を解決するための手段】
【０００７】
上記課題を解決する請求項１の発明は、外部に貫通しない光ファイバ穴とこの光ファイバ穴の先端が開口する接着剤充填凹所とを有する構造の透明樹脂製のフェルールの光ファイバ穴に光ファイバを挿入する際に用いる光ファイバ挿入補助治具であって、
前記フェルールを載せるフェルール載置部と、このフェルールの前方移動を止めるストッパ部と、光ファイバを保持して前後方向にスライド可能な光ファイバ保持スライドブロックと、前記光ファイバ保持スライドブロックの前方移動を止めるストッパ部を有して前後方向にスライド可能なスライドステージと、光ファイバ保持スライドブロックを前方に付勢するようにスライドステージに設けたバネと、前記スライドステージを前後方向にスライド可能に載せるとともに、スライドステージの前進限及び後退限を規定する前進限ストッパ部及び後退限ストッパ部とを有するベース本体と、前記スライドステージをベース本体に対して前後に移動させる移動手段と、光ファイバ保持スライドブロックを、スライドステージとともに一体に前後移動するようにスライドステージに結合させる結合手段と
を有することを特徴とする。
【０００８】
請求項２は、請求項１の光ファイバ挿入補助治具において、後退限位置にあるスライドステージとベース本体の前進限ストッパ部との間の隙間幅ｂを、フェルールの接着剤充填凹所の光ファイバ長手方向幅ａより小さくしたことを特徴とする。
【発明の効果】
【０００９】
本発明の光ファイバ挿入補助治具によれば、光ファイバ穴の先端が開口する接着剤充填凹所を有する構造のフェルールの光ファイバ穴に光ファイバを挿入する作業の際に、フェルール載置部と、ストッパ部と、光ファイバ保持スライドブロックと、スライドステージと、バネと、ベース本体と、移動手段と、結合手段との有機的な結合により、光ファイバ長手方向幅ａの狭い接着剤充填凹所内に先端を突出させた光ファイバの長手方向の移動を、光ファイバの先端が光ファイバ穴内に没入しない範囲で、確実にかつ能率的にコントロールすることが可能となる。すなわち、正確にかつ早く光ファイバ先端位置をコントロールできる。
これにより、容易に、光ファイバの先端が、光ファイバ穴に没入はしないが前方壁面から適宜離間している状態とすることができる。したがって、光ファイバが光ファイバ穴を通過するときに光ファイバ穴内面を削って光ファイバ先端に付着した切り屑を除去するために接着剤充填凹所内をエアブローする際、切り屑が前方壁面６ａとの間に挟まっているなどの拘束状態となることはなく、光ファイバ先端に付着した切り屑を確実にかつ能率的に除去することが可能になる。
【図面の簡単な説明】
【００１０】
【図１】本発明の一実施例の光ファイバ挿入補助治具の斜視図である。
【図２】上記光ファイバ挿入補助治具の正面図である。
【図３】上記光ファイバ挿入補助治具の平面図である。
【図４】上記光ファイバ挿入補助治具の右側面図である。
【図５】上記の光ファイバ挿入補助治具にフェルールをセットしこれに光ファイバを挿入した状態で、その要部を模式的に簡略化しかつ拡大して示したもので、図４のＡ−Ａ断面に相当する断面図である。
【図６】図９の平面図である。
【図７】上記の光ファイバ挿入補助治具により接着剤充填凹所内の切り屑を除去する作業を説明するもので、図５に対応する正面図であり、切り屑除去工程の初期段階のものである。
【図８】図７に続く工程の段階のものである。
【図９】図８のに続く工程の段階のものである。
【図１０】図７〜図９の工程を説明するもので、（ａ）、（ｂ）、（ｃ）はそれぞれ図７、図８、図９の各段階をそれぞれ拡大してかつ模式的に示した図、（ｄ）は（ｃ）の後に接着剤を充填した状態の図である。
【図１１】本発明の光ファイバ挿入補助治具が対象とするフェルールの一例を示す断面図である。
【図１２】図１１のフェルールの平面図である。
【図１３】本発明の光ファイバ挿入補助治具が対象とするフェルールの他の例を示す断面図である
【発明を実施するための形態】
【００１１】
以下、本発明を実施した光ファイバ挿入補助治具について、図面を参照して説明する。
【実施例１】
【００１２】
図１は本発明の一実施例の光ファイバ挿入補助治具１の斜視図、図２は正面図、図３は平面図、図４は右側面図、図５は上記の光ファイバ挿入補助治具１にフェルールをセットしこれに光ファイバを挿入した状態での要部を模式的に簡略化（各部の形状・サイズ比率などは図１〜図４とは大きく変更）して示した、図４のＡ−Ａ断面に相当する断面図、図６は図５の平面図である。
【００１３】
この光ファイバ挿入補助治具１は、例えば図１１、図１２に示すように、外部に貫通しない光ファイバ穴７とこの光ファイバ穴７の先端が開口する接着剤充填凹所６を有する構造のフェルール３の光ファイバ穴７に、例えば光ファイバテープ心線２の光ファイバ２ａを挿入する作業に用いる。
実施例の光ファイバテープ心線２は０．１２５ｍｍφの裸ファイバ（ガラスファイバ）２ａに紫外線硬化樹脂被覆を施した０．２５ｍｍφの光ファイバ素線２ｂを複数本を並べて紫外線硬化樹脂で一括被覆したものである。光ファイバテープ心線２の被覆部を２ｃで示す。
【００１４】
フェルール３は、透明樹脂からなり、先端側に４５°の傾斜面１３が形成され、この傾斜面１３に直交する有底穴５が光ファイバテープ心線２の心線数だけ形成されている。この有底穴５の底面は、フェルール内部から見ると内部反射面５ａとなっている。この内部反射面５ａの近傍に接着剤充填凹所６が形成され、この接着剤充填凹所６に先端が開口する光ファイバ穴７が形成されている。接着剤充填凹所６は、光ファイバ穴７に挿入されて位置決めされた光ファイバ２ａをその内面から突出させる。図示例では、テープ心線導入用開口部８の前方に光ファイバテープ心線２を接着固定する接着剤を充填する接着剤充填窓９が形成され、前記光ファイバ穴７はこの接着剤充填窓９の前方壁面９ａから前記接着剤充填凹所６に連通している。接着剤充填凹所６の光ファイバ長手方向幅（凹所幅）ａは、実施例では１ｍｍ程度であるが、０．３ｍｍ〜３ｍｍの範囲があり得る。
接着剤充填窓９及び接着剤充填凹所６に接着剤１０が充填されて、光ファイバが固定されている。
テープ心線被覆２ｃ及び素線被覆２ｂを除去した光ファイバ（裸ファイバ）２ａは、接着剤１０を充填した接着剤充填凹所６において、その先端が前方壁面６ａに突き当てられた状態で接着固定されている。また、接着剤充填窓９に充填した接着剤１０により、光ファイバ（裸ファイバ）２ａが光ファイバガイド溝９ｂ上で接着固定され、かつ、テープ心線導入用開口部８において光ファイバテープ心線２の被覆端の近傍が接着固定されている。なお、光ファイバ穴７内にも接着剤が浸入して光ファイバを接着固定している。
この光フェルール３において、光ファイバ２ａから出射した光は接着剤充填凹所６の前方壁面６ａから透明樹脂（フェルール）内に入射し、内部反射面５ａで下方に反射して光路変換が行われ、回路基板（光・電気複合基板）１１上の光素子１２に出射する。または、逆の光路を辿る。
【００１５】
光ファイバ挿入補助治具１の構造を図１〜図６を参照して説明する。なお、図５、図６では、構造が分かり易いように、各部の形状や相対位置関係やサイズ比率などを図１〜図４とは大幅に変えて示している。
この光ファイバ挿入補助治具１は、前記フェルール３を載せるフェルール載置部１４と、このフェルール３の前方移動を止めるストッパ部１５と、光ファイバを保持して前後方向にスライド可能な光ファイバ保持スライドブロック１６と、前記光ファイバ保持スライドブロック１６の前方移動を止めるストッパ部１７ａを有して前後方向にスライド可能なスライドステージ１７と、光ファイバ保持スライドブロック１６を前方に付勢するようにスライドステージ１７に設けたバネ１８と、前記スライドステージ１７を前後方向にスライド可能に載せるとともに、スライドステージ１７の前進限及び後退限を規定する前進限ストッパ部１９ａ及び後退限ストッパ部１９ｂとを有するベース本体１９と、前記スライドステージ１７をベース本体１９に対して前後に移動させる移動手段２０と、光ファイバ保持スライドブロック１６を、スライドステージ１７とともに一体に前後移動するようにスライドステージに結合させる結合手段２１とを有している。
【００１６】
前記ベース本体１９における、スライドステージ１７を前後方向にスライド可能に載せるステージ載置面を１９ｃで示す。ベース本体１９のベースプレート部を１９ｄで示す。  前記前進限ストッパ部（面）１９ａは、ベース本体１９における前方部１９ｅの垂直壁面として設けられている。後退限ストッパ部（面）１９ｂは、ベース本体１９における後方壁１９ｆの内側の垂直壁面として設けられている。スライドステージ１７が後退限ストッパ部１９ｂまで後退した時（図５、図７の状態）の、スライドステージ１７の前端面と前進限ストッパ部１９ａとの隙間幅をｂで示す。
前記移動手段２０は、例えば、ベース本体１９の後方壁１９ｆに形成したネジ穴ｇに螺合するスクリュウ２０ａの先端部をスライドステージ１７に回転のみ可能に係合させて、ツマミ２０ｂを回すことで、スライドステージ１７を前進又は後退させる構造とすることができる。
【００１７】
前記スライドステージ１７の上面にガイド部１７ｂが設けられ、このガイド部１７ｂに前記光ファイバ保持スライドブロック（以下、場合により単にスライドブロックと呼ぶ）１６の被案内部１６ａがスライド可能に嵌合している。
前記バネ１８は、スライドステージ１７の上面に捻じ込み固定した小ネジ２４とスライドブロック１６の下面に捻じ込み固定した小ネジ２５との間に若干の張力が生じる状態で掛け渡されており、これによりスライドブロック１６をスライドステージ１７に対して前方に付勢して、その前進規制面１６ｂをスライドステージ１７のストッパ部（面）１７ａに接触させている。
【００１８】
前記スライドブロック１６は、前端部にテープ心線２の幅方向位置を規制する２本のポスト１６ｃを有し、左右の側壁とテープ心線２を通す切欠きを中央に設けた後部壁とからなる枠壁１６ｄを有している。
また、スライドブロック１６の上面にマグネット１６ｅ（図１参照）が埋め込まれている。
スライドブロック１６の前方部分（ポスト１６ｃの近傍）は、フェルール３をフェルール載置部１４に載せこれに光ファイバを挿入する際の手作業の邪魔にならないように、底板部のみを残してポスト１６ｃの両側にスペース１６ｇが形成される形状としている。
スライドブロック１６の上面に、枠壁１６ｄ内に嵌る矩形のステンレス製の押さえ部材２６が配置されている。押さえ部材２６は直立した取っ手部を有してＴ形断面をなしている。押さえ部材２６はスライドブロック１６側の前記マグネット１６ｅによる吸着力でスライドブロック１６上のテープ心線２を押さえて保持する。
【００１９】
前記フェルール載置部１４は、ベース本体１９の前方部１９ｅの上部の幅広ブロック部１９ｈからスライドブロック１６側に張り出した張り出し部１４ａと、幅広ブロック部１９ｈの上面に形成した、フェルール３の先端部を収容する凹所１４ｂとからなる。
フェルール載置部１４の先端位置の前記ストッパ部１５は、ベース本体１９の幅広ブロック部１９ｈの上部で、フェルール載置部１４に対して段差状に設けられた壁面として形成されている。
ベース本体１９の幅広ブロック部１９ｈにフェルール３の前端部を押さえるカバー２７がヒンジ２８を介して開閉可能に設けられている。２７ａはカバー２７に付けた取っ手である。
【００２０】
前記結合手段２１は、図４に示すようにスライドステージ１７の側面に取り付けられている。この結合手段２１は、テコの原理とリンクとの組み合わせによるいわゆるトグルクランプであり、操作レバー２１ａを矢印ａ方向に引いた位置（図４の状態）では、従動アーム２１ｂに固定したクランプ棒２１ｃの先端のパッド２１ｄがスライドブロック１６の側面を強く押し付けた状態に安定してとどまり、スライドステージ１７とスライドブロック１６とが一体に動くように両者を結合する。矢印ａ方向と逆方向に押したとき、パッド２１ｄがスライドブロック１６から離れて結合を解除し、その解除状態に安定してとどまる。
【００２１】
上記の光ファイバ挿入補助治具１を用いてフェルール３に光ファイバを挿入する作業を、主として図７、図８、図９及び図１０を参照して説明する。図１０（ａ）、（ｂ）、（ｃ）は図７、図８、図９の各段階をそれぞれ、分かり易いように模式的に説明する図である。なお、接着剤充填凹所６の光ファイバ長手方向幅（凹所幅）ａは特に広く図示している。フェルール３の形状は実際には例えば図１１、図１２の通りである。
予め、光ファイバテープ心線２の被覆２ｃを除去して光ファイバ素線を露出させ、その被覆を除去して、裸ファイバ２ａを露出させておく。
光ファイバ挿入補助治具１は、予め図７、図１０（ａ）に示した状態にしておく。すなわち、スライドステージ１７をベース本体１９の後退限ストッパ部１９ｂに当たる後退限位置まで後退させておく。この状態で、スライドステージ１７とベース本体１９の前進限ストッパ面１９ａとの間の隙間幅はｂである。この間隙幅ｂは凹所幅ａより短く（ｂ＜ａ）するが、ａ寸法に近いのが好ましく、ｂ寸法をａ寸法より１０％〜２０％短く（ｂ＝０．８ａ〜０．９ａ）するのが好適である。
また、バネ１８で前方に付勢されたスライドブロック１６の前進規制面１６ｂがスライドステージ１７のストッパ部１７ａに接触している。
また、結合手段２１は作動させておらず、その先端の押し付けパッド２１ｄはスライドブロック１６の側面から離れており、スライドステージ１７とスライドブロック１６とを結合していない。
この状態で、フェルール３をフェルール載置部１４上に載せ、先端をストッパ部１５に当てる。
次いで、光ファイバテープ心線２の先端部を光ファイバ心線導入穴８からフェルール３内に導入し、光ファイバ（裸ファイバ）２ａをフェルール３の光ファイバ穴７に挿入し貫通させて、接着剤充填凹所６内に突出させる。
この場合、図７、図１０（ａ）のように、光ファイバ２ａの接着剤充填凹所６内の突出長さｄが一定長さ以上となるように突出させる必要がある。すなわち、突出長さｄを[凹所幅ａ−間隔幅ｂ]より大とする必要がある（ｄ＞ａ−ｂ）。この時の光ファイバ２ａの先端と接着剤充填凹所６の前方壁面６ａとの間の距離をｍで示す。
光ファイバ２ａを光ファイバ穴７に挿入する作業は手作業で行うので、光ファイバ２ａの先端が接着剤充填凹所６内に突出していることを確認するのは目視で行うが、前述のようにｂ＝０．８ａ〜０．９ａとした場合、光ファイバ２ａの先端を凹所幅ａの概ね１／４以上は突出させると問題ない。なお、光ファイバ２ａの先端を前方壁面６ａに突き当ててもよい。
【００２２】
光ファイバ２ａを光ファイバ穴７に挿入し貫通させる場合、光ファイバ２ａの先端が光ファイバ穴７を通過する際に、ガラスであり硬度の高い光ファイバ２ａの先端面のエッジが、ガラスと比べて柔らかいフェルール３の光ファイバ穴内面を削ってしまい、その切り屑が接着剤充填凹所内に入る。
そこで、光ファイバａの先端が光ファイバ穴７内に没入しないようにしつつ、接着剤充填凹所６内の切り屑を除去する。この切り屑除去作業について説明する。
前記のように光ファイバ２ａの先端を接着剤充填凹所６内に突出させた状態で、光ファイバテープ心線２をスライドブロック１６上に保持する。この実施例では、押さえ部材２６をスライドブロック１６の上面の枠壁６ａ内に載せることで、光ファイバテープ心線２を保持する。ステンレス製の押さえ部材２６がスライドブロック１６側のマグネット１６ｅに吸着されて、光ファイバテープ心線２を保持する。なお、単に押さえ部材の重量で光ファイバテープ心線を押さえて保持することも可能である。
また、カバー２７をヒンジ２８にて回転させて、接着剤充填凹所６を覆わないように、フェルール３の先端部に被せて押さえる。
上記の各操作を終了した段階が図７、図１０（ａ）の状態（図１０ではカバー２７の図示を省略）である。
【００２３】
次いで、移動手段であるスクリュウ２０を回して、スライドステージ１７を前進限ストッパ面１９ａに当たるまで前進させると、図８、図１０（ｂ）の状態となる。
すなわち、スライドステージ１７上に載っているスライドブロック１６は、光ファイバ２ａの先端が接着剤充填凹所６の前方壁面６ａに当たるまでスライドステージ１７と一緒に前進するが、当たった後はそれ以上前進しないので、スライドステージ１７に対して相対的に後退する。この状態でのスライドブロック１６とスライドステージ１７のストッパ部１７ａとの間の隙間幅をｃで示す。この隙間幅ｃ＝ｂ−ｍである。また、この時のスライドステージ１７の後端と後端限ストッパ面１９ｂとの間の隙間はｂである（図８参照）。
スライドブロック１６は、伸びたバネ１８の力で前方に付勢された状態となるので、保持された光ファイバ２ａはバネ１８の力で接着剤充填凹所６の前方壁面６ａに押し付けられた状態となっている。
【００２４】
図８、図１０（ｂ）の状態で、結合手段であるトグルクランプ２１を操作して、スライドブロック１６をスライドステージ１７に結合させて、スライドブロック１６がスライドステージ１７と一体に前後方向に移動可能にするようにする。
この結合状態は、トグルクランプ２１の状態としては図１、図３、図４に示す通りである。
【００２５】
図８、図１０（ｂ）のように光ファイバ２ａの先端が接着剤充填凹所６の前方壁面６ａに突き当たっている状態あるいはその近傍まで突出した状態では、接着剤充填凹所６内をエアブローをしても、光ファイバ穴を通過させた光ファイバ２ａの先端に付着した切り屑が、前方壁面６ａとの間に挟まったままであったり、光ファイバに遮られたりして、切り屑を吹き飛ばすことができずに残る場合が多々ある。
そこで、スクリュー２０を逆向きに回してスライドステージ１７を後退限ストッパ１９ｂに当たるまで後退させると、図９、図１０（ｃ）の状態となる。この時、スライドステージ１７は初期状態になる以上には後退しないので、すなわち寸法ｂだけしか後退しないので、光ファイバ２ａの先端位置は接着剤充填凹所６内に突出した状態にとどまる（光ファイバ穴７内に没入することはない）。すなわち、前述の通り、ｂ＜ａに設定しているので、図９、図１０（ｃ）の状態における光ファイバａの突出長さｄ’＝ａ−ｂ＞０  であり、光ファイバ２ａの先端は光ファイバ穴７内に没入しない。
もし、この時に光ファイバ２ａの先端が光ファイバ穴７内に没入したとすれば、再び光ファイバ２ａを接着剤充填凹所６内に突出させる際に、先端面のエッジで光ファイバ穴７の内面が削られて切り屑が発生するという不都合が生じるが、没入しないので、そのような問題は生じない。
この状態で接着剤充填凹所６内をエアブローをすると、前方壁面６ａから離間した光ファイバ２ａの先端に付着した切り屑は、前方壁面６ａとの間に挟まっているなどの拘束状態にないので、エアーブローで容易に光ファイバ先端から吹き飛ばされ、確実に接着剤充填凹所６から除去される。
なお、接着剤充填凹所６内にエアーを吹き付けるエアブロー機構は省略するが、この光ファイバ挿入補助治具１の適宜箇所に、エアポンプに接続するノズルを設ける。
なお、光ファイバ先端に付着した切り屑を除去する手段としては、エアブローで切り屑を吹き飛ばす方法に限らず、吸引して除去することもできる。
【００２６】
上記の説明では、初期状態（図７、図１０（ａ）の段階）で光ファイバ２ａの先端が前方壁面６ａに突き当たっていない場合について説明したが、初期状態で突き当てた場合は、図１０（ｃ）の段階における光ファイバ２ａの突出長さｄ’が図１０（ｃ）で図示された突出長さｄ’より大となるだけなので、当然、光ファイバ２ａの先端は光ファイバ穴７内に没入しない。
また、初期状態で、光ファイバ２ａの接着剤充填凹所６内への突出長さｄが図７、図１０（ａ）で示したものよりさらに小さい場合には、スライドステージ１７を前進させた時（図８、図１０（ｂ）の段階で）、光ファイバ２ａの先端が前方壁面６ａに突き当たっていない場合もあるが、前述の通りｂ＜ａであるから、この場合でもやはり、スライドステージ１７を後退させた時の光ファイバ２ａの突出長さｄ’は、ｄ’＝ａ−ｂ＞０  であり、光ファイバ２ａの先端は光ファイバ穴７内に没入しない。
上記の通り、この光ファイバ挿入補助治具１を用いて光ファイバ２ａをフェルール３の光ファイバ穴７に挿入する作業を行うと、最初に光ファイバ２ａを接着剤充填凹所６内に突出させておけば、確実にかつ能率的に、光ファイバ２ａの先端が、光ファイバ穴７に没入はしないが前方壁面６ａから離間している状態、とすることができる。したがって、接着剤充填凹所６内をエアブローして光ファイバ先端に付着した切り屑を除去する作業を、確実にかつ能率的に行うことができる。
【００２７】
図９、図１０（ｃ）の状態で、接着剤充填凹所６及び接着剤充填窓８に接着剤１０を充填する。接着剤としては、熱硬化型接着剤や紫外線硬化型接着剤などの接着剤を用いる。
図１０（ｄ）は接着剤１０を充填した状態を示す。
接着剤を充填した図１０（ｄ）の段階の後に、スライドステージ１７を再度、前進限ストッパ１９ａの面に当てると、光ファイバ２ａの先端は前方壁面６ａに突き当たった状態になるので、その後の接着剤硬化時に必要なファイバ位置に持っていくことができる。
接着剤１０を充填したがまだ硬化していない接着剤未硬化のフェルール付き光ファイバ４’に対して、次の接着剤硬化処理工程により接着剤１０を硬化させて、図１１、図１２のようなフェルール付き光ファイバ４を得る。
【実施例２】
【００２８】
本発明におけるフェルール載置部１４、ストッパ部１５、スライドブロック１６、スライドステージ１７、バネ１８、ベース本体１９、移動機構２０、結合手段２１などの具体的な構造、機構は、実施例のものに限定されず、種々設計変更可能である。
また、対象とする光ファイバは、図１１、図１２では１２心の光ファイバテープ心線として示したが、特に心数は限定されず、８心あるいは４心の光ファイバテープでもよく、さらにはテープ心線でなく単心光ファイバでもよい。
また、図示例のフェルール３の光ファイバ穴７は基板面と平行であるが、必ずしも平行に限らず、基板面に対して若干の角度を持たせることもできる。この場合は、内部反射面５ａの角度を、その反射方向が基板面と直角になるような角度とする。その場合、フェルールの下面が光ファイバ長手方向に対して傾斜するが、フェルール載置部１４をフェルールの下面の傾斜に対応して傾斜させるとよい。
また、有底穴５を設けずに、フェルール３の４５°傾斜させた先端面を内部反射面とすることもできる。
【実施例３】
【００２９】
上述の実施例では、対象とする光コネクタが内部反射による光路変換型の光コネクタであるとして説明したが、図１３に示すように、透明樹脂製のフェルール３Ａの先端面３８が光ファイバ穴７の長手方向と直交しているが、光ファイバ穴７がフェルール３Ａを貫通していない構造のフェルールを用いた光コネクタであってもよい。すなわち、前述した図１１のフェルール３と同様な接着剤充填凹所６、外部に貫通しない光ファイバ穴７、接着剤充填窓９、テープ心線導入用開口部８などを有するが、フェルール先端面３８は光ファイバ穴７の長手方向と直交しており、内部反射をしない。
そして、この光コネクタは、フェルール先端面３８を、図示のように回路基板（光・電気複合基板）１１に向けて、回路基板１１上の光素子１２と対向させるように配置することにより、自身に内蔵された光ファイバ２ａと回路基板１１上の光素子１２と光接続する。
なお、この光コネクタは、フェルール先端面３８を、回路基板に向けるのではなく、他の光コネクタの先端面と突き合わせることにより、他の光コネクタに内蔵された光ファイバと、自身に内蔵された光ファイバ２ａとをほぼ同一直線上に配置して光接続する場合に用いることもできる。
これらの場合も、光ファイバ穴７が外部に貫通しておらず、光ファイバ２ａが光ファイバ穴７を通過する時に光ファイバ穴７内面を削って生じた切り屑が接着剤充填凹所６内に入るので、本発明の光ファイバ挿入補助治具の上述した効果が有効に果たされる。
【符号の説明】
【００３０】
１  光ファイバ挿入補助治具
２  光ファイバテープ心線（光ファイバ）
２ａ  裸ファイバ（光ファイバ）
２ｂ  光ファイバ素線
２ｃ  （光ファイバテープ心線の）被覆部
３、３Ａ  フェルール
４  フェルール付き光ファイバ
４’  接着剤未硬化のフェルール付き光ファイバ
５  有底穴
５ａ  内部反射面
６  接着剤充填凹所
６ａ  前方壁面
７  光ファイバ穴
８  テープ心線導入穴（光ファイバ導入穴）
９  接着剤充填窓
１０  接着剤
１１  回路基板
１２  光素子
１４  フェルール載置部
１５  ストッパ部
１６  スライドブロック（光ファイバ保持スライドブロック）
１６ａ  被案内部
１６ｂ  前進規制面
１６ｃ  ポスト
１６ｄ  枠壁
１６ｅ  マグネット
１６ｇ  スペース
１７  スライドステージ
１７ａ  ストッパ部
１７ｂ  ガイド部
１８  バネ
１９  ベース本体
１９ａ  前進限ストッパ部
１９ｂ  後退限ストッパ部
１９ｃ  ステージ載置面
１９ｄ  ベースプレート部
１９ｅ  前方部
１９ｆ  後方壁
１９ｇ  ネジ穴
１９ｈ  幅広ブロック部
２０  移動手段
２０ａ  スクリュー
２０ｂ  ツマミ
２１  結合手段
２４、２５  小ネジ
２６  押さえ部材
２７  カバー
【図１】
0005137041.tif 000002
【図２】
0005137041.tif 000003
【図３】
0005137041.tif 000004
【図４】
0005137041.tif 000005
【図５】
0005137041.tif 000006
【図６】
0005137041.tif 000007
【図７】
0005137041.tif 000008
【図８】
0005137041.tif 000009
【図９】
0005137041.tif 000010
【図１０】
0005137041.tif 000011
【図１１】
0005137041.tif 000012
【図１２】
0005137041.tif 000013
【図１３】
0005137041.tif 000014